(57)【要約】  ＵＥ  ｃａｐａｂｉｌｉｔｙのシグナリングを行うように構成された端末装置（ＵＥ）が記述される。ＵＥは、プロセッサ、およびプロセッサと電子通信を行うメモリに格納された命令を含む。ＵＥは、ＵＥが各バンドの組み合わせに対して異なるバンド上の異なる時分割多重（ＴＤＤ）構成をサポートできるか否かに関するインジケータを送信する。ＵＥは、ＵＥが各バンドの組み合わせに対して異なるバンド上での同時送受信をサポートできるか否かに関するインジケータを送信する。ＵＥは、ＵＥが各バンドの組み合わせに対して異なる上りリンク・タイミング調整をサポートできるか否かに関するインジケータを送信する。
2014529203.tif 000002
【特許請求の範囲】
【請求項１】
ＵＥ  ｃａｐａｂｉｌｉｔｙのシグナリングを行うように構成された端末装置（ＵＥ）であって、
プロセッサと、
前記プロセッサと電子通信を行うメモリと、
前記メモリに格納された命令とを備え、
前記命令は、前記端末装置が各バンドの組み合わせに対して異なるバンド上での同時送受信をサポートできるか否かに関するインジケータを送信する
ために実行されることを特徴とする端末装置。
【請求項２】
ＵＥ  ｃａｐａｂｉｌｉｔｙのシグナリングを行うように構成された端末装置（ＵＥ）であって、
プロセッサと、
前記プロセッサと電子通信するメモリと、
前記メモリに格納された命令とを備え、
前記命令は、前記端末装置が各バンドの組み合わせに対して異なるバンド上の異なる時分割多重（ＴＤＤ）構成をサポートできるか否かに関するインジケータを送信するために実行されることを特徴とする端末装置。
【請求項３】
前記命令は、無線リソース管理（ＲＲＣ）シグナリングを受信して、同時送受信を実行すべきか否かを判定するためにさらに実行されることを特徴とする請求項１に記載の端末装置。
【請求項４】
前記命令は、同時送受信を実行しないと判定された場合、衝突サブフレームではすべてのセルについてある１つのサブフレーム構成に従うためにさらに実行されることを特徴とする請求項３に記載の端末装置。
【請求項５】
前記命令は、同時送受信を実行しないと判定された場合、１つのサブフレーム構成を選択し、他のサブフレーム構成を持つ他のセルをミュートするためにさらに実行されることを特徴とする請求項３に記載の端末装置。
【請求項６】
前記命令は、同時送受信を実行すると判定された場合、異なるバンド上で同時に情報を送信し、情報を受信するためにさらに実行されることを特徴とする請求項３に記載の端末装置。
【請求項７】
端末装置（ＵＥ）ｃａｐａｂｉｌｉｔｙに関するシグナリングを受信するように構成された基地局装置（ｅＮＢ：Ｅｅｖｏｌｖｅｄ  Ｎｏｄｅ  Ｂ）であって、
プロセッサと、
前記プロセッサと電子通信を行うメモリと、
前記メモリに格納された命令とを備え、
前記命令は、前記端末装置が各バンドの組み合わせに対して異なるバンド上での同時送受信をサポートできるか否かに関するインジケータを受信するために実行されることを特徴とする基地局装置。
【請求項８】
端末装置（ＵＥ）ｃａｐａｂｉｌｉｔｙに関するシグナリングを受信するように構成された基地局装置であって、
プロセッサと、
前記プロセッサと電子通信を行うメモリと、
前記メモリに格納された命令とを備え、
前記命令は、前記端末装置が各バンドの組み合わせに対して異なるバンド上の異なる時分割多重（ＴＤＤ）構成をサポートできるか否かに関するインジケータを受信するために実行されることを特徴とする基地局装置。
【請求項９】
前記命令は、前記端末装置が同時送受信を実行する必要があるか否かを示す無線リソース管理（ＲＲＣ）シグナリングを送信するためにさらに実行されることを特徴とする請求項７に記載の基地局装置。
【請求項１０】
端末装置（ＵＥ）ｃａｐａｂｉｌｉｔｙのシグナリングを端末装置から行うための方法であって、
前記端末装置が各バンドの組み合わせに対して異なるバンド上での同時送受信をサポートできるか否かに関するインジケータを送信するステップを含むことを特徴とする方法。
【請求項１１】
端末装置（ＵＥ）ｃａｐａｂｉｌｉｔｙのシグナリングを端末装置から行うための方法であって、
前記端末装置が各バンドの組み合わせに対して異なるバンド上の異なる時分割多重（ＴＤＤ）構成をサポートできるか否かに関するインジケータを送信するステップを含むことを特徴とする方法。
【請求項１２】
無線リソース管理（ＲＲＣ）シグナリングを受信して、同時送受信を実行すべきか否かを判定するステップをさらに含むことを特徴とする請求項１０に記載の方法。
【請求項１３】
同時送受信を実行しないと判定された場合、衝突サブフレームではすべてのセルについてある１つのサブフレーム構成に従うステップをさらに含むことを特徴とする請求項１２に記載の方法。
【請求項１４】
同時送受信を実行しないと判定された場合、１つのサブフレーム構成を選択し、他のサブフレーム構成を持つ他のセルをミュートするステップをさらに含むことを特徴とする請求項１２に記載の方法。
【請求項１５】
同時送受信を実行すると判定された場合、異なるバンド上で同時に情報を送信し、情報を受信するステップをさらに含むことを特徴とする請求項１２に記載の方法。
【請求項１６】
端末装置（ＵＥ）ｃａｐａｂｉｌｉｔｙに関するシグナリングを基地局装置（ｅＮＢ）によって受信するための方法であって、
前記端末装置が各バンドの組み合わせに対して異なるバンド上での同時送受信をサポートできるか否かに関するインジケータを受信するステップを含むことを特徴とする方法。
【請求項１７】
端末装置（ＵＥ）ｃａｐａｂｉｌｉｔｙに関するシグナリングを基地局装置（ｅＮＢ）によって受信するための方法であって、
前記端末装置が各バンドの組み合わせに対して異なるバンド上の異なる時分割多重（ＴＤＤ）構成をサポートできるか否かに関するインジケータを受信するステップを含むことを特徴とする方法。
【請求項１８】
前記端末装置が同時送受信を行う必要があるか否かを示す無線リソース管理（ＲＲＣ）シグナリングを送信するステップをさらに含むことを特徴とする請求項１６に記載の方法。
【発明の詳細な説明】
【技術分野】
【０００１】
本開示は、一般に、通信システムに関する。より具体的には、本開示は、端末装置（ＵＥ：user equipment）ケイパビリティ（ｃａｐａｂｉｌｉｔｙ）シグナリングに関する。
【背景技術】
【０００２】
無線通信デバイスは、消費者ニーズを満たし、可搬性と便利さとを改善するために、より小さく、より強力になった。消費者は、無線通信デバイスに依存するようになり、高信頼性のサービス、受信可能エリアの拡大、および機能性の増加を期待するようになった。無線通信システムは、多くの無線通信デバイスに通信を提供し、デバイスのそれぞれが基地局によるサービスを享受する。
【０００３】
無線通信デバイスが進歩するにつれて、通信容量、速度および／または品質の向上が求められてきた。しかしながら、通信容量、速度および／または品質の向上は、リソースの増大を必要とする。
【０００４】
例えば、無線通信デバイスは、複数のチャネルまたはセルを用いて１つ以上のデバイスと通信する。しかしながら、複数のチャネルまたはセルを用いた１つ以上のデバイスとの通信は、いくつかの課題を提起する。この議論によって説明されるように、複数のチャネルまたはセルを用いた通信を可能にし、向上させるシステムおよび方法は有益であろう。
【発明の概要】
【課題を解決するための手段】
【０００５】
本発明に従って、ＵＥ  ｃａｐａｂｉｌｉｔｙのシグナリングを行うように構成された端末装置（ＵＥ）が提供され、ＵＥは、プロセッサと、プロセッサと電子通信を行うメモリと、メモリに格納された命令とを備え、命令は、ＵＥが各バンドの組み合わせに対して異なるバンドでの同時送受信をサポートできるか否かに関するインジケータ（indicator）を送信するために実行される。
【０００６】
本発明に従って、ＵＥ  ｃａｐａｂｉｌｉｔｙのシグナリングを行うように構成された端末装置（ＵＥ）が提供され、ＵＥは、プロセッサと、プロセッサと電子通信を行うメモリと、メモリに格納された命令とを備え、命令は、ＵＥが各バンドの組み合わせに対して異なるバンド上の異なる時分割多重（ＴＤＤ：time division duplex）構成をサポートできるか否かに関するインジケータを送信するために実行される。
【０００７】
本発明に従って、端末装置（ＵＥ）ｃａｐａｂｉｌｉｔｙに関するシグナリングを受信するように構成された基地局装置（ｅＮＢ：ｅｖｏｌｖｅｄ  Ｎｏｄｅ  Ｂ）が提供され、ｅＮＢは、プロセッサと、プロセッサと電子通信を行うメモリと、メモリに格納された命令とを備え、命令は、ＵＥが各バンドの組み合わせに対して異なるバンド上での同時送受信をサポートできるか否かに関するインジケータを受信するために実行される。
【０００８】
本発明に従って、端末装置（ＵＥ）ｃａｐａｂｉｌｉｔｙに関するシグナリングを受信するように構成された基地局装置（ｅＮＢ）が提供され、ｅＮＢは、プロセッサと、プロセッサと電子通信を行うメモリと、メモリに格納された命令とを備え、命令は、ＵＥが各バンドの組み合わせに対して異なるバンド上の異なる時分割多重（ＴＤＤ）構成をサポートできるか否かに関するインジケータを受信するために実行される。
【０００９】
本発明に従って、端末装置（ＵＥ）ｃａｐａｂｉｌｉｔｙのシグナリングをＵＥから行うための方法が提供され、この方法は、ＵＥが各バンドの組み合わせに対して異なるバンド上での同時送受信をサポートできるか否かに関するインジケータを送信するステップを備える。
【００１０】
本発明に従って、端末装置（ＵＥ）ｃａｐａｂｉｌｉｔｙのシグナリングをＵＥから行うための方法が提供され、この方法は、ＵＥが各バンドの組み合わせに対して異なるバンド上の異なる時分割多重（ＴＤＤ）構成をサポートできるか否かに関するインジケータを送信するステップを備える。
【００１１】
本発明に従って、端末装置（ＵＥ）ｃａｐａｂｉｌｉｔｙに関するシグナリングを基地局装置（ｅＮＢ）によって受信するための方法が提供され、この方法は、ＵＥが各バンドの組み合わせに対して異なるバンド上での同時送受信をサポートできるか否かに関するインジケータを受信するステップを備える。
【００１２】
本発明に従って、端末装置（ＵＥ）ｃａｐａｂｉｌｉｔｙに関するシグナリングを基地局装置（ｅＮＢ）によって受信するための方法が提供され、この方法は、ＵＥが各バンドの組み合わせに対して異なるバンド上で異なる時分割多重（ＴＤＤ）構成をサポートできるか否かに関するインジケータを受信するステップを備える。
【図面の簡単な説明】
【００１３】
【図１】ＵＥ  ｃａｐａｂｉｌｉｔｙのシグナリングを行うためのシステムおよび方法である端末装置（ＵＥ）および１つ以上の基地局装置（ｅＮＢ）の一構成を示すブロック図である。
【図２】端末装置（ＵＥ）ｃａｐａｂｉｌｉｔｙのシグナリングを行うための方法の一構成を示すフロー図である。
【図３】ＵＥ  ｃａｐａｂｉｌｉｔｙに関するシグナリングを受信するための方法の一構成を示すフロー図である。
【図４】複数セルのサブフレームの組を示す図である。
【図５】端末装置（ＵＥ）ｃａｐａｂｉｌｉｔｙシグナリングの一構成を示すブロック図である。
【図６】無線リソース管理（ＲＲＣ：radio resource control）シグナリングの一構成を示すブロック図である。
【図７】端末装置（ＵＥ）において利用される様々なコンポーネントを示す。
【図８】基地局装置（ｅＮＢ）において利用される様々なコンポーネントを示す。
【発明を実施するための形態】
【００１４】
ＵＥ  ｃａｐａｂｉｌｉｔｙのシグナリングを行うように構成された端末装置（ＵＥ）が開示される。ＵＥは、プロセッサ、およびプロセッサと電子通信を行うメモリに格納された命令を含む。ＵＥは、ＵＥがバンドの組み合わせに対して異なるバンド上の異なる時分割多重（ＴＤＤ）構成をサポートできるかどうかに関するインジケータを送信する。ＵＥは、ＵＥがバンドの組み合わせに対して異なるバンド上での同時送受信をサポートできるかどうかに関するインジケータも送信する。ＵＥは、さらに、ＵＥがバンドの組み合わせに対して異なる上りリンク・タイミング調整をサポートできるかどうかに関するインジケータを送信する。
【００１５】
ＵＥは、無線リソース管理（ＲＲＣ）シグナリングを受信して、同時送受信を実行すべきかどうかを判定（確定）することもできる。ＵＥは、同時送受信を実行しないと判定された場合、衝突サブフレームではすべてのセルについてある１つのサブフレーム構成に従う。ＵＥは、同時送受信を実行しないと判定された場合、１つのサブフレーム構成を選択し、他のサブフレーム構成を持つ他のセルをミュートすることもできる。ＵＥは、同時送受信を実行すると判定された場合、異なるバンド上で同時に情報を送信し、情報を受信することができる。
【００１６】
ＵＥ−ＥＵＴＲＡ−Ｃａｐａｂｉｌｉｔｙ−ｖ１１ｘｘ−ＩＥ情報は、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータのうちの少なくとも１つを含む。カテゴリインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータのうちの少なくとも１つを含む。コンプライアンスインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータのうちの少なくとも１つを含む。
【００１７】
端末装置（ＵＥ）ケイパビリティに関するシグナリングを受信するように構成された基地局装置（ｅＮＢ）も開示される。ｅＮＢは、プロセッサ、およびプロセッサと電子通信を行うメモリに格納された実行可能な命令を含む。ｅＮＢは、ＵＥがバンドの組み合わせに対して異なるバンド上の異なる時分割多重（ＴＤＤ）構成をサポートできるかどうかに関するインジケータを受信する。ｅＮＢは、ＵＥがバンドの組み合わせに対して異なるバンド上での同時送受信をサポートできるかどうかに関するインジケータも受信する。ｅＮＢは、さらに、ＵＥがバンドの組み合わせに対して異なる上りリンク・タイミング調整をサポートできるかどうかに関するインジケータを受信する。
【００１８】
ｅＮＢは、ＵＥが同時送受信を実行する必要があるかどうかを示す無線リソース管理（ＲＲＣ）シグナリングを送信する。ＵＥ−ＥＵＴＲＡ−Ｃａｐａｂｉｌｉｔｙ−ｖ１１ｘｘ−ＩＥ情報は、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータのうちの少なくとも１つを含む。
【００１９】
カテゴリインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータのうちの少なくとも１つを含む。コンプライアンスインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータのうちの少なくとも１つを含む。
【００２０】
端末装置（ＵＥ）ケイパビリティのシグナリングをＵＥから行うための方法も開示される。この方法は、ＵＥがバンドの組み合わせに対して異なるバンド上の異なるＴＤＤ構成をサポートできるかどうかに関するインジケータを送信するステップを含む。さらに、この方法は、ＵＥがバンドの組み合わせに対して異なるバンド上での同時送受信をサポートできるかどうかに関するインジケータを送信するステップを含む。この方法は、ＵＥがバンドの組み合わせに対して異なる上りリンク・タイミング調整をサポートできるかどうかに関するインジケータを送信するステップも含む。
【００２１】
端末装置（ＵＥ）ケイパビリティに関するシグナリングを基地局装置（ｅＮＢ）によって受信するための方法も開示される。この方法は、ＵＥがバンドの組み合わせに対して異なるバンド上の異なるＴＤＤ構成をサポートできるかどうかに関するインジケータを受信するステップを含む。この方法は、ＵＥがバンドの組み合わせに対して異なるバンド上での同時送受信をサポートできるかどうかに関するインジケータを受信するステップも含む。さらに、この方法は、ＵＥがバンドの組み合わせに対して異なる上りリンク・タイミング調整をサポートできるかどうかに関するインジケータを受信するステップを含む。
【００２２】
“３ＧＰＰ”とも呼ばれる、第３世代パートナーシップ・プロジェクト（The 3rd Generation Partnership Project）は、第３および第４世代無線通信システムに関する世界的に適用可能な技術仕様および技術レポートを規定することを目指した連携合意である。３ＧＰＰは、次世代モバイルネットワーク、システムおよびデバイスに関する仕様を規定する。
【００２３】
３ＧＰＰロング・ターム・エボリューション（ＬＴＥ：Long Term Evolution）は、将来の要求に対処するために、ユニバーサル・モバイル通信システム（ＵＭＴＳ：Universal Mobile Telecommunications System）モバイルフォンまたはデバイス規格を改善するプロジェクトに与えられた名称である。一様態において、ＵＭＴＳは、進化型ユニバーサル地上無線アクセス（Ｅ−ＵＴＲＡ：Evolved Universal Terrestrial Radio Access）および進化型ユニバーサル地上無線アクセス・ネットワーク（Ｅ−ＵＴＲＡＮ：Evolved Universal Terrestrial Radio Access Network）に関するサポートおよび仕様を提供するために修正された。
【００２４】
本明細書に開示されるシステムおよび方法の少なくともいくつかの様態は、３ＧＰＰ仕様書（例えば、ＬＴＥ、ＬＴＥ−Ａｄｖａｎｃｅｄ（ＬＴＥ−Ａ）、リリース８、リリース１０、リリース１１、モバイル通信のためのグルーバルシステム（ＧＳＭ：Global System for Mobile Communications）など）に関連して記述される。しかしながら、本開示の範囲は、この点で限定されるべきではない。本明細書に開示されるシステムおよび方法の少なくともいくつかの様態は、他のタイプの無線通信システムにおいて利用される。
【００２５】
無線通信デバイスは、音声および／またはデータを基地局へ通信するために用いられ、次には基地局がデバイスのネットワーク（例えば、公衆交換電話網（ＰＳＴＮ：public switched telephone network）、インターネットなど）と通信する、電子デバイスである。本明細書においてシステムおよび方法を記述するとき、無線通信デバイスは、代わりに移動局、端末装置（ＵＥ）、アクセス端末、加入者局、移動端末、遠隔局、ユーザ端末、端末、加入者ユニット、モバイルデバイスなどと呼ばれることがある。無線通信デバイスの例としては、セルラーフォン、スマートフォン、携帯情報端末（ＰＤＡ：personal digital assistant）、ラップトップコンピュータ、ネットブック、電子書籍リーダ、ワイヤレス・モデムなどを含む。３ＧＰＰ仕様書では、無線通信デバイスは、典型的に端末装置（ＵＥ）と呼ばれる。しかしながら、本開示の範囲は、３ＧＰＰ規格に限定されるべきではないので、より一般的な用語“無線通信デバイス”を意味するために、本明細書では用語“ＵＥ”と“無線通信デバイス”は同義で用いられる。
【００２６】
３ＧＰＰ仕様書において、基地局は、典型的にＮｏｄｅ  Ｂ、ｅｖｏｌｖｅｄまたはｅｎｈａｎｃｅｄ  Ｎｏｄｅ  Ｂ（ｅＮＢ）、ｈｏｍｅ  ｅｎｈａｎｃｅｄまたはｅｖｏｌｖｅｄ  Ｎｏｄｅ  Ｂ（ＨｅＮＢ）、あるいはいくつか他の同様の用語法で呼ばれる。本開示の範囲は、３ＧＰＰ規格に限定されるべきではないので、より一般的な用語“基地局”を意味するために、本明細書では、用語“基地局”、“Ｎｏｄｅ  Ｂ”、“ｅＮＢ”および“ＨｅＮＢ”が同義で用いられる。そのうえ、用語“基地局”は、アクセスポイントを示すために用いられてもよい。アクセスポイントは、無線通信デバイスのためにネットワーク（例えば、ローカルエリアネットワーク（ＬＡＮ：Local Area Network）、インターネットなど）へのアクセスを提供する電子デバイスである。用語“通信デバイス”は、無線通信デバイスおよび／または基地局の両方を示すために用いられる。
【００２７】
なお、本明細書において、“セル”は、インターナショナル・モバイル・テレコミュニケーションズ−アドバンスト（ＩＭＴ−Ａｄｖａｎｃｅｄ：International Mobile Telecommunications-Advanced）に用いるために規格化または規制団体によって仕様が定められた任意の通信チャネルであり、Ｎｏｄｅ  Ｂ（例えば、ｅＮｏｄｅＢ）とＵＥとの間の通信に用いることが認可された帯域として、そのすべてまたはそのサブセットが３ＧＰＰによって採用されている。“構成されたセル（Configured cells）”は、ＵＥがそれを関知し、情報を送信または受信することがＮｏｄｅ  Ｂ（例えば、ｅＮＢ）によって許可されたセルである。“構成されたセル（単数または複数）”は、サービングセル（serving cell(s)）であってもよい。ＵＥは、すべての構成されたセル上でシステム情報を受信し、必要とされる測定を行う。“アクティブ化されたセル（Activated cells）”は、ＵＥが送信または受信を行う構成されたセルである。すなわち、アクティブ化されたセルは、ＵＥが物理下りリンク制御チャネル（ＰＤＣＣＨ：physical downlink control channel）をモニターする対象のセルであり、下りリンク送信の場合、ＵＥが物理下りリンク共有チャネル（ＰＤＳＣＨ：physical downlink shared channel）を復号する対象のセルである。“非アクティブ化されたセル（Deactivated cells）”は、ＵＥが送信ＰＤＣＣＨをモニターしていない構成されたセルである。なお、“セル”は、様々な次元の観点から記述される。例えば、“セル”は、時間、空間（例えば、幾何形状）および周波数特性を有する。例として、セルの空間特性がサイズの観点から記述される。
【００２８】
本明細書に開示されるシステムおよび方法は、ロング・ターム・エボリューション（ＬＴＥ）リリース１１以降の端末装置（ＵＥ）が、複数の時分割多重（ＴＤＤ：time division duplexing）構成で通信するために、いかに設計されるかについて記述する。そのうえ、本明細書に開示されるシステムおよび方法は、ＵＥが異なるバンドあるいは異なるセルまたはキャリアで異なる時分割多重（ＴＤＤ）上りリンク−下りリンク（ＵＬ−ＤＬ）サブフレーム構成に対して構成されたときに、ＵＥは、いかに振る舞うかについて記述する。
【００２９】
３ＧＰＰ  ＬＴＥリリース１０（ＬＴＥ−ＡまたはＡｄｖａｎｃｅｄ  Ｅ−ＵＴＲＡＮ）において、キャリアアグリゲーション（carrier aggregation）が導入された。リリース１０のＴＤＤは、すべてのサービングセルに対してただ１つの統合されたＴＤＤ上りリンク−下りリンク構成を持つことを可能にした。リリース１１では、ＬＴＥキャリアアグリゲーションの拡張あるいは“異なるバンド上の異なる上りリンク−下りリンク構成を含むＴＤＤ  ＤＬおよびＵＬのためのバンド間キャリアアグリゲーションのサポート”が検討されている。ＴＤＤアプローチの利点の１つは、異なるＴＤＤ構成を通じたフレキシブルなリソース活用である。異なるＴＤＤ構成を形成することによって、利用可能なＵＬおよびＤＬリソース間の比は、３ＵＬ：２ＤＬから１ＵＬ：９ＤＬまでに及びうる。
【００３０】
異なるセルに対するＴＤＤ構成のフレキシブルな配置の利点は、異なるバンド上で様々なＴＤＤ構成を用いることができれば、この設計が、異なるバンド上に複数のキャリアを維持するＴＤＤオペレータにとって、より自由で効率的なネットワーク配備を可能にすることである。例えば、オペレータは、より低い周波数のバンド上では、（より低い周波数では伝搬損失がより低いので）ＵＬカバレッジおよび電池寿命を改善するために、ＤＬより多くのＵＬ時間／周波数リソースを有する構成を用い、一方、より高い周波数バンド上では、ホットスポットまたは屋内エリアに対するＤＬ容量を引き上げるために、ＤＬ-ｈｅａｖｙ構成を用いることができる。
【００３１】
次に、図面を参照して様々な構成が記述される。これらの図面において、同様の参照番号は、機能的に類似した要素を示す。本明細書に添付の図面に一般的に記述され、説明されるシステムおよび方法は、様々な異なる構成において配置および設計されうるであろう。従って、図に表現される、いくつかの構成に関する以下のより詳細な記述は、特許請求の範囲を限定するものではなく、システムおよび方法を単に代表するに過ぎない。
【００３２】
図１は、ＵＥ  ｃａｐａｂｉｌｉｔｙのシグナリングを行うためのシステムおよび方法が実装される、端末装置（ＵＥ）１０２および１つ以上の基地局装置（ｅＮＢ）１６０の一構成を示すブロック図である。いくつかの構成において、キャリアアグリゲーションに関してＵＥ  ｃａｐａｂｉｌｉｔｙのシグナリングが行われる。ＵＥ１０２は、１つ以上のアンテナ１２２ａ〜ｎを用いて基地局装置（ｅＮＢ）１６０と通信する。例えば、ＵＥ１０２は、１つ以上のアンテナ１２２ａ〜ｎを用いてｅＮＢ１６０へ電磁信号（electromagnetic signals）を送信し、ｅＮＢ１６０から電磁信号を受信する。ｅＮＢ１６０は、１つ以上のアンテナ１８０ａ〜ｎを用いてＵＥ１０２と通信する。なお、いくつかの構成においては、ｅＮＢ１６０がＮｏｄｅ  Ｂ、ｈｏｍｅ  ｅｖｏｌｖｅｄ  Ｎｏｄｅ  Ｂ（ＨｅＮＢ）または他の種類の基地局であってもよい。
【００３３】
ＵＥ１０２およびｅＮＢ１６０は、相互に通信するために１つ以上のセル（例えば、チャネル、キャリア・コンポーネントなど）１１９、１２１を用いる。例えば、ＵＥ１０２およびｅＮＢ１６０は、１つ以上のチャネル（例えば、物理上りリンク制御チャネル（ＰＵＣＣＨ：Physical Uplink Control Channel）、物理上りリンク共有チャネル（ＰＵＳＣＨ：Physical Uplink Shared Channel）、物理下りリンク制御チャネル（ＰＤＣＣＨ）など）を運ぶために、セル１１９、１２１を用いる。ＰＵＣＣＨは、３ＧＰＰ仕様書に従う制御チャネルの一例である。他の種類のチャネルが用いられてもよい。
【００３４】
本明細書に開示されるシステムおよび方法に従って、セル１１９、１２１の複数の種類および／またはセル１１９、１２１の複数の群が通信に用いられる。本明細書では、用語“グループ（group）”は、１つ以上のグループを示す。プライマリセル（ＰＣｅｌｌ）は、３ＧＰＰ仕様書に従うプライマリセル（primary cell）であってもよい。セカンダリセル（ＳＣｅｌｌ）は、３ＧＰＰ仕様書に従うセカンダリセル(secondary cell)であってもよい。グループの１つの種類は、ＰＣｅｌｌ１１９を含む。いくつかの場合において、１つ以上のＳＣｅｌｌ１２１がＰＣｅｌｌ１１９を持つグループに含まれてもよい。他の種類のグループは、１つ以上のＳＣｅｌｌ１２１を含むことができる。各グループにおける１つ以上のサービングセル１１９、１２１の上りリンクは、同じ上りリンク送信タイミングを有することができる。例えば、各グループにおける各ＳＣｅｌｌ１２１は、同じ上りリンク送信タイミングを共有することができる。
【００３５】
ある場合には、単一のｅＮＢ１６０が、ＰＣｅｌｌ１１９および１つ以上のＳＣｅｌｌ１２１を用いてＵＥ１０２と通信する。別の場合には、１つのｅＮＢ１６０が、ＰＣｅｌｌ１１９（および、例えば、任意の１つ以上のＳＣｅｌｌ１２１）を用いてＵＥ１０２と通信し、一方、他のｅＮＢ１６０が、１つ以上のＳＣｅｌｌ１２１を用いてＵＥ１０２と通信する。
【００３６】
ＵＥ１０２は、１つ以上のトランシーバ１１８、１つ以上の復調器１１４、１つ以上のデコーダ１０８、１つ以上のエンコーダ１５０、１つ以上の変調器１５４およびＵＥ操作部１２４を含む。例えば、ＵＥ１０２において１つ以上の受信および／または送信経路が用いられる。便宜上、単一のトランシーバ１１８、デコーダ１０８、復調器１１４、エンコーダ１５０および変調器１５４だけが示されるが、構成に依存して、複数の並列要素（例えば、トランシーバ１１８、デコーダ１０８、復調器１１４、エンコーダ１５０および変調器１５４）が用いられてもよい。
【００３７】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を生成するために、信号を受信してダウンコンバートする。１つ以上の受信信号１１６は、復調器１１４に供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００３８】
復調器１１４は、１つ以上の復調信号１１２を生成するために、１つ以上の受信信号１１６を復調する。１つ以上の復調信号１１２は、デコーダ１０８に供給される。ＵＥ１０２は、信号を復号するためにデコーダ１０８を用いる。デコーダ１０８は、１つ以上の復号信号１０６、１１０を生成する。例えば、第１のＵＥ復号信号１０６は、受信されたペイロード・データ１０４を備える。第２のＵＥ復号信号１１０は、オーバーヘッド・データおよび／または制御データを備える。例えば、第２のＵＥ復号信号１１０は、１つ以上の操作を実行すべくＵＥ操作部１２４によって用いられるデータを供給する。例として、第２のＵＥ復号信号１１０は、ｅＮＢ１６０から受信されたＵＥＣａｐａｂｉｌｉｔｙＥｎｑｕｉｒｙメッセージまたはＲＲＣＣｏｎｎｅｃｔｉｏｎＲｅｃｏｎｆｉｇｕｒａｔｉｏｎメッセージを備える。
【００３９】
本明細書では、用語“モジュール（module）”は、特定の要素またはコンポーネントが、ハードウェア、ソフトウェアあるいはハードウェアとソフトウェアとの組み合わせで実装されることを意味する。しかし、本明細書に“モジュール”として示される任意の要素が、代わりにハードウェアで実装されてもよい。例えば、ＵＥ操作部１２４は、ハードウェア、ソフトウェアまたは両方の組み合わせで実装される。
【００４０】
一般に、ＵＥ操作部１２４は、ＵＥ１０２が１つ以上のｅＮＢ１６０と通信することを可能にする。ＵＥ操作部１２４は、ｃａｐａｂｉｌｉｔｙ情報１２６、ｃａｐａｂｉｌｉｔｙシグナリング部１３４および多重部１７３を含む。ｃａｐａｂｉｌｉｔｙ情報１２６は、ＵＥ１０２が、異なるＴＤＤ構成１２８をサポートすること、同時送受信１３０をサポートすること、および複数の上りリンク・タイミング調整１３２をサポートすることが可能かどうかを示す情報を含む。
【００４１】
ｃａｐａｂｉｌｉｔｙシグナリング部１３４は、ｃａｐａｂｉｌｉｔｙ情報１２６に基づいてメッセージを生成する。例えば、ｃａｐａｂｉｌｉｔｙシグナリング部１３４は、ＵＥ１０２が１つ以上のバンドの組み合わせに対して異なるバンド上の異なるＴＤＤ構成をサポートすることが可能であることを示すメッセージを生成する。別の例では、ｃａｐａｂｉｌｉｔｙシグナリング部１３４は、ＵＥ１０２が１つ以上のバンドの組み合わせに対して異なるバンド上での同時（例えば、同時に起こる）送受信をサポートすることが可能であることを示すメッセージを生成する。さらに別の例では、ｃａｐａｂｉｌｉｔｙシグナリング部１３４は、ＵＥ１０２が１つ以上のバンドの組み合わせに対して異なる上りリンク・タイミング調整をサポートすることが可能であることを示すメッセージを生成する。これらのメッセージは、以下の図５に関連して提供される記述に従って生成される。
【００４２】
多重部１７３は、ＵＥ１０２が全二重（full duplexing）または半二重（half-duplexing）を用いて通信するかどうかを制御する。例えば、ＵＥ１０２は、ｅＮＢ１６０から、全二重または半二重を用いてｅＮＢ１６０と通信することをＵＥ１０２に要求するシグナリング（例えば、メッセージ）を受信する。全二重では、ＵＥ１０２は、情報を同時に送受信する。半二重では、ＵＥ１０２は、一時に情報を送信するか、あるいは受信するに過ぎない。いくつかの構成において、ＵＥ１０２は、ｅＮＢ１６０から受信したメッセージに基づいて、複信モードをセット（例えば、再構成）し、複信モードがセット（例えば、再構成）されたことを示すメッセージをｅＮＢ１６０へ送信する。
【００４３】
一例において、ＵＥ１０２は、ｅＮＢ１６０によって、ＵＥ１０２が同時送受信を実行する必要があるか否かを示すＲＲＣシグナリングを用いて構成される。ＵＥ１０２が同時（例えば、同時に起こる）送受信または全二重を実行しないように構成されている場合、ＵＥ１０２は、衝突サブフレームではすべてのセル（例えば、セル１１９、１２１）についてサブフレーム構成の１つに従うか、あるいは、衝突サブフレームではサブフレーム構成の１つを選択し、他のサブフレーム構成（単数または複数）を持つ他のセルをミュートする。“衝突サブフレーム（collision subframe）”は、異なる構成が異なるタイプのサブフレーム（例えば、上りリンク、下りリンク、スペシャル）を割当てるサブフレームである。複信（duplexing）および複信に関するシグナリングのさらなる詳細が図２、３および６に関連して以下に示される。
【００４４】
いくつかの構成において、ＵＥ１０２は、複数のセル１１９、１２１を決定する。例えば、ＵＥ１０２は、１つ以上のｅＮＢ１６０がセル１１９、１２１へのアクセスを提供できるかどうかを検出するために、１つ以上の周波数バンドをモニターする。例として、ＵＥ１０２は、通信のためにセル（単数または複数）１１９、１２１を提供できる１つ以上のｅＮＢ１６０から、ブロードキャスト、タイミングまたはビーコン信号を受信する。別の例において、ＵＥ１０２は、１つ以上のｅＮＢ１６０へ信号またはメッセージを送信する。１つ以上のｅＮＢ１６０は、次にＵＥ１０２に応答して、１つ以上のセル１１９、１２１が通信に使用されうることを示す信号を送信する。
【００４５】
一構成において、ＵＥ１０２は、タイミングアドバンス・コマンドに基づいて、プライマリセル（ＰＣｅｌｌ）１１９の物理上りリンク制御チャネル（ＰＵＣＣＨ）、物理上りリンク共有チャネル（ＰＵＳＣＨ）および／またはサウンディング参照信号（ＳＲＳ：sounding reference signal）の上りリンク送信タイミングを調整する。
【００４６】
一構成において、ＰＣｅｌｌ１１９を持つグループにおける各ＳＣｅｌｌ１２１のＰＵＳＣＨおよび／またはＳＲＳの上りリンク送信タイミングは、対応するＰＣｅｌｌ１１９の上りリンク送信タイミングと同じである。本明細書に開示されるシステムおよび方法に従って、ＰＣｅｌｌ１１９を持たないグループにおける各ＳＣｅｌｌ１２１のＰＵＳＣＨおよび／またはＳＲＳの上りリンク送信タイミングは、（例えば、ある特定のＳＣｅｌｌ１２１と）同じ上りリンク送信タイミングを共有する。なお、各サービングセル１１９、１２１は、下りリンクおよび／または上りリンクを有しうる。
【００４７】
ＵＥ１０２からの信号は、１つ以上の指定された時間に１つ以上のｅＮＢ１６０へ到達する必要があるので、上りリンク送信タイミングの調整が必要なことがある。例えば、ｅＮＢ１６０へ送信されたすべて信号は、同時に、あるいはＯＦＤＭシンボルにおけるサイクリックプレフィックス内で、ｅＮＢ１６０に到達する必要がありうる。
【００４８】
ＵＥ操作部１２４は、エンコーダ１５０に情報１４２を提供する。この情報１４２は、エンコーダ１５０に対する命令、および／または、符号化されるべきデータを含む。例えば、ＵＥ操作部１２４は、ＰＣｅｌｌ１１９および／または１つ以上のＳＣｅｌｌ１２１の送信タイミングをシフトするようにエンコーダ１５０に命令する、および／または、符号化レートに関してエンコーダ１５０に命令する。加えて、または代わりに、情報１４２は、ＵＥ１０２  ｃａｐａｂｉｌｉｔｙ情報１２６、および／または、他の制御データ（例えば、ＵＥＣａｐａｂｉｌｉｔｙＩｎｆｏｒｍａｔｉｏｎメッセージ、ＲＲＣＣｏｎｎｅｃｔｉｏｎＲｅｃｏｎｆｉｇｕｒａｔｉｏｎＣｏｍｐｌｅｔｅメッセージなど）のような符号化されるべきデータを含むことがある。
【００４９】
エンコーダ１５０は、送信データ１４６、および／または、ＵＥ操作部１２４によって提供される他の情報１４２を符号化する。例えば、データ１４６および／または他の情報１４２の符号化は、誤り検出および／または訂正符号化、送信のための空間、時間および／または周波数リソースへのデータのマッピングなどを伴う。エンコーダ１５０は、変調器１５４に符号化データ１５２を供給する。
【００５０】
ＵＥ操作部１２４は、変調器１５４に情報１４４を提供する。この情報１４４は、変調器１５４に対する命令を含む。例えば、ＵＥ操作部１２４は、ＰＣｅｌｌ１１９および／または１つ以上のＳＣｅｌｌ１２１の送信タイミングをシフトするように変調器１５４に命令する、および／または、変調型（例えば、コンステレーション・マッピング）に関して変調器１５４に命令する。変調器１５４は、１つ以上の送信機１５８に１つ以上の変調信号１５６を供給するために、符号化データ１５２を変調する。
【００５１】
ＵＥ操作部１２４は、１つ以上の送信機１５８に情報１４０を提供する。この情報１４０は、１つ以上の送信機１５８に対する命令を含む。例えば、ＵＥ操作部１２４は、ＰＣｅｌｌ１１９および／または１つ以上のＳＣｅｌｌ１２１の送信タイミングをシフトするように１つ以上の送信機１５８に命令する。別の例において、ＵＥ操作部１２４は、（例えば、１つ以上の受信機１２０が受信している間に）全二重に従って、あるいは（例えば、１つ以上の受信器１２０が受信していない間に）半二重に従って送信すべきかどうかを１つ以上の送信機１５８に命令する。１つ以上の送信機１５８は、１つ以上のｅＮＢ１６０へ変調信号（単数または複数）１５６をアップコンバートして送信する。なお、複数の上りリンク・タイミング調整を実行するために、ＵＥ１０２は１つより多い送信機１５８を持つ必要がある。
【００５２】
各ｅＮＢ１６０は、１つ以上のトランシーバ１７６、１つ以上の復調器１７２、１つ以上のデコーダ１６６、１つ以上のエンコーダ１０９、１つ以上の変調器１１３およびｅＮＢ操作部１８２を含む。例えば、ｅＮＢ１６０において１つ以上の受信および／または送信経路が用いられる。便宜上、単一のトランシーバ１７６、デコーダ１６６、復調器１７２、エンコーダ１０９および変調器１１３だけが示されるが、構成に依存して、複数の並列要素（例えば、トランシーバ１７６、デコーダ１６６、復調器１７２、エンコーダ１０９および変調器１１３）が用いられてもよい。
【００５３】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２からの信号を受信する。例えば、受信機１７８は、１つ以上の受信信号１７４を生成するために、信号を受信してダウンコンバートする。１つ以上の受信信号１７４は、復調器１７２に供給される。１つ以上の送信機１１７は、１つ以上のアンテナ１８０ａ〜ｎを用いてＵＥ１０２へ信号を送信する。例えば、１つ以上の送信機１１７は、１つ以上の変調信号１１５をアップコンバートして送信する。
【００５４】
復調器１７２は、１つ以上の復調信号１７０を生成するために、１つ以上の受信信号１７４を復調する。１つ以上の復調信号１７０は、デコーダ１６６に供給される。ｅＮＢ１６０は、信号を復号するためにデコーダ１６６を用いる。デコーダ１６６は、１つ以上の復号信号１６４、１６８を生成する。例えば、第１のｅＮＢ復号信号１６４は、受信されたペイロード・データ１６２を備える。第２のｅＮＢ復号信号１６８は、オーバーヘッド・データおよび／または制御データを備える。例えば、第２のｅＮＢ復号信号１６８は、ｅＮＢ操作部１８２によって１つ以上の操作（例えば、ＵＥ１０２から受信されたＵＥＣａｐａｂｉｌｉｔｙＩｎｆｏｒｍａｔｉｏｎメッセージまたはＲＲＣＣｏｎｎｅｃｔｉｏｎＲｅｃｏｎｆｉｇｕｒａｔｉｏｎＣｏｍｐｌｅｔｅメッセージ）を実行するために用いられるデータを提供する。
【００５５】
一般に、ｅＮＢ操作部１８２は、ｅＮＢ１６０が、１つ以上のセル１１９、１２１を用いているＵＥ１０２と通信することを可能にする。ｅＮＢ操作部１８２は、１つ以上のセル１１９、１２１の送信タイミングを管理する。例えば、ｅＮＢ操作部１８２は、ＵＥ    ｃａｐａｂｉｌｉｔｙ  ｅｎｑｕｉｒｙまたはＵＥ  ｃａｐａｂｉｌｉｔｙ  ｒｅｑｕｅｓｔを生成する。加えて、または代わりに、ｅＮＢ操作部は、ＵＥ１０２から受信されたＵＥ１０２  ｃａｐａｂｉｌｉｔｙ情報に基づいてＵＥ１０２との通信を制御する。
【００５６】
一構成において、ｅＮＢ操作部１８２は、複信指示部１７１を含む。複信指示部１７１は、ＵＥ１０２が全二重または半二重に従って通信する必要があるかどうかを示すシグナリング（例えば、ＲＲＣＣｏｎｎｅｃｔｉｏｎＲｅｃｏｎｆｉｇｕｒａｔｉｏｎメッセージ）を生成する。例えば、ｅＮＢ１６０は、ＵＥ１０２から受信されたＵＥ１０２  ｃａｐａｂｉｌｉｔｙ情報に基づいて、ＵＥ１０２が全二重または半二重に従って通信する必要があるかどうかを判定する。複信を示すためのシグナリングに関するさらなる詳細が図６に関連して示される。
【００５７】
ｅＮＢ操作部１８２は、エンコーダ１０９に情報１０１を提供する。この情報１０１は、エンコーダ１０９に対する命令、および／または、符号化されるべきデータを含む。例えば、ｅＮＢ操作部１８２は、符号化レートに関してエンコーダ１０９に命令する。加えて、または代わりに、情報１０１は、符号化されるべきデータ（例えば、ＵＥＣａｐａｂｉｌｉｔｙＥｎｑｕｉｒｙメッセージまたはＲＲＣＣｏｎｎｅｃｔｉｏｎＲｅｃｏｎｆｉｇｕｒａｔｉｏｎメッセージなど）を含む。例えば、ｅＮＢ操作部は、送信のためにエンコーダにＵＥ  ｃａｐａｂｉｌｉｔｙ  ｅｎｑｕｉｒｙまたはｒｅｑｕｅｓｔを供給する。
【００５８】
エンコーダ１０９は、送信データ１０５、および／または、ｅＮＢ操作部１８２によって提供される他の情報１０１を符号化する。例えば、データ１０５および／または他の情報１０１の符号化は、誤り検出および／または訂正符号化、送信のための空間、時間および／または周波数リソースへのデータのマッピングなどを伴う。エンコーダ１０９は、変調器１１３に符号化データ１１１を供給する。送信データ１０５は、ＵＥ１０２へ伝えられるべきネットワーク・データを含む。
【００５９】
ｅＮＢ操作部１８２は、変調器１１３に情報１０３を提供する。この情報１０３は、変調器１１３に対する命令を含む。例えば、ｅＮＢ操作部１８２は、変調型（例えば、コンステレーション・マッピング）に関して変調器１１３に命令する。変調器１１３は、１つ以上の送信機１１７に１つ以上の変調信号１１５を供給するために符号化データ１１１を変調する。
【００６０】
ｅＮＢ操作部１８２は、１つ以上の送信機１１７に情報１９８を提供する。この情報１９８は、１つ以上の送信機１１７に対する命令を含む。例えば、ｅＮＢ操作部１８２は、１つ以上のセル１１９、１２１を用いて送信するように、１つ以上の送信機１１７に命令する。１つ以上の送信機１１７は、ＵＥ１０２へ変調信号（単数または複数）１１５をアップコンバートして送信する。
【００６１】
図２は、端末装置（ＵＥ）ｃａｐａｂｉｌｉｔｙのシグナリングを行うための方法２００の一構成を示すフロー図である。例えば、方法２００は、キャリアアグリゲーションに関するＵＥ１０２  ｃａｐａｂｉｌｉｔｙのシグナリングについて記述する。異なるＴＤＤ上りリンク／下りリンク構成を用いて通信するように設計されたＵＥ１０２は、そのｃａｐａｂｉｌｉｔｙをｅＮＢ１６０に示すことができる。例えば、ＵＥ１０２は、ＵＥ１０２が１つ以上のバンドの組み合わせに対して異なるバンド上の異なるＴＤＤ構成をサポートできるかどうかに関するインジケータを送信する（ステップ２０２）。例えば、ＵＥ１０２は、ＵＥ１０２が各バンドの組み合わせに対して異なるバンド上の異なるＴＤＤ構成をサポートできるかどうかを含めて、そのｃａｐａｂｉｌｉｔｙをｅＮＢ１６０に通知する。
【００６２】
一構成において、ステップ２０２で送信されるインジケータは、ＵＥカテゴリを備える。例えば、特定のカテゴリにおけるＵＥは、ＵＥカテゴリによって示される異なるＴＤＤ構成をサポートすることが可能である。別の構成において、ステップ２０２で送信されるインジケータは、特定の仕様書リリースへの準拠を示す情報を備える。例えば、リリース１１のすべてのＵＥは、コンプライアンスもしくはリリース番号インジケータによって示される異なるＴＤＤ構成をサポートすることが可能である。
【００６３】
ＵＥ１０２は、ＵＥ１０２が各バンドの組み合わせに対して異なるバンド上での同時送受信をサポートできるかどうかに関するインジケータを送信する（ステップ２０４）。例えば、ＵＥ１０２は、ＵＥ１０２が各バンドの組み合わせに対して異なるバンド上での同時送受信をサポートできるかどうかを含めて、そのｃａｐａｂｉｌｉｔｙをｅＮＢ１６０に通知する。
【００６４】
一構成において、ステップ２０４で送信されるインジケータは、ＵＥカテゴリインジケータを備える。例えば、特定のカテゴリにおけるＵＥは、ＵＥカテゴリインジケータによって示される異なるバンド上での同時送受信をサポートすることが可能である。別の構成において、ステップ２０２で送信されるインジケータは、特定の仕様書リリースへの準拠を示す情報を備える。例えば、リリース１１のすべてのＵＥは、コンプライアンスもしくはリリース番号インジケータによって示される異なるバンド上での同時送受信をサポートすることが可能である。
【００６５】
ＵＥ１０２は、ＵＥ１０２が各バンドの組み合わせに対して異なる上りリンク・タイミング調整をサポートできるかどうかに関するインジケータを送信する（ステップ２０６）。例えば、ＵＥ１０２は、各バンドの組み合わせに対して異なる上りリンク・タイミング調整をサポートするそのｃａｐａｂｉｌｉｔｙをｅＮＢ１６０に通知する。ステップ２０２、２０４、２０６で送信されたＵＥ１０２  ｃａｐａｂｉｌｉｔｙを示す（インジケータ(単数または複数)は、以下の図５に関連して示される記述に従ってフォーマットされる。１つ以上のインジケータは、１つ以上のメッセージで送信されてもよく、および／または、明示的または暗黙的に示されてもよい。
【００６６】
一構成において、ステップ２０６で送信されるインジケータは、ＵＥカテゴリインジケータを備える。例えば、特定のカテゴリにおけるＵＥは、ＵＥカテゴリインジケータによって示される各バンドの組み合わせに対して異なる上りリンク・タイミング調整をサポートすることが可能である。別の構成において、ステップ２０２で送信されるインジケータは、特定の仕様書リリースへの準拠を示す情報を備える。例えば、リリース１１のすべてのＵＥは、コンプライアンスもしくはリリース番号インジケータによって示される、各バンドの組み合わせに対して異なる上りリンク・タイミング調整をサポートすることが可能である。いくつかの構成において、記述される１つ以上のインジケータは、ＵＥＣａｐａｂｉｌｉｔｙＩｎｆｏｒｍａｔｉｏｎメッセージに含まれる。いくつかの構成において、ステップ２０２、２０４、２０６での１つ以上のインジケータの送信は、ｅＮＢ１６０からのＵＥＣａｐａｂｉｌｉｔｙＥｎｑｕｉｒｙメッセージの受信に応答して行われる。
【００６７】
ＵＥ１０２は、無線リソース管理（ＲＲＣ）シグナリングを受信する（ステップ２０８）。例えば、ＵＥ１０２は、全二重または半二重通信を用いて通信することをＵＥ１０２に要求する、ｅＮＢ１６０からのＲＲＣＣｏｎｎｅｃｔｉｏｎＲｅｃｏｎｆｉｇｕｒａｔｉｏｎシグナリングを受信する。例として、ＵＥ１０２が同時(例えば、同時に起こる)送受信を実行する必要があるか否かに関わらず、ＵＥ１０２は、ｅＮＢ１６０によってＲＲＣシグナリングを用いて構成される。
【００６８】
ＵＥ１０２は、同時送受信を実行すべきかどうかを判定する（ステップ２１０）。例えば、ＵＥ１０２は、全二重通信または半二重通信を用いて通信すべきかどうかを判定する（ステップ２１０）。ＵＥ１０２は、ｅＮＢ１６０から受信された、どのタイプの複信が必要かを指定するＲＲＣシグナリングに基づいて、この判定２１０を行う。
【００６９】
ＵＥ１０２が同時（例えば、同時に起こる）送受信を実行しない構成である（例えば、ＵＥ１０２が半二重通信を実行するように構成されている）場合、ＵＥ１０２は、衝突サブフレームではすべてのセルについてサブフレーム構成の１つに従う（ステップ２１２）か、あるいは、衝突サブフレームでは（例えば、１つのセルに対して）サブフレーム構成の１つを選択し（ステップ２１２）、他のサブフレーム構成を持つ他のセルをミュート（例えば、無視）する。
【００７０】
ＵＥ１０２が同時（例えば、同時に起こる）送受信（例えば、全二重)を実行するように構成されている場合には、ＵＥ１０２は、異なるバンド上で同時に情報を送信し（ステップ２１４）、情報を受信する（ステップ２１４）。例えば、ＵＥ１０２は、１つのキャリア上で上りリンク送信を送り、同時に別のキャリア上で下りリンク送信を受信する。
【００７１】
図３は、ＵＥ１０２  ｃａｐａｂｉｌｉｔｙに関するシグナリングを受信するための方法３００の一構成を示すフロー図である。例えば、方法３００は、キャリアアグリゲーションに関するＵＥ１０２  ｃａｐａｂｉｌｉｔｙのシグナリングの受信について記述する。ｅＮＢ１６０は、ＵＥ１０２  ｃａｐａｂｉｌｉｔｙ情報をリクエストするメッセージを送信する（ステップ３０２）。例えば、ｅＮＢ１６０は、ＵＥ１０２  ｃａｐａｂｉｌｉｔｙ  ｅｎｑｕｉｒｙ またはＵＥ１０２  ｃａｐａｂｉｌｉｔｙ  ｒｅｑｕｅｓｔを送信する。
【００７２】
ＵＥ１０２は、ｅＮＢ１６０にそのｃａｐａｂｉｌｉｔｙを示すことができる。例えば、ｅＮＢ１６０は、ＵＥ１０２が１つ以上のバンドの組み合わせに対して異なるバンド上の異なるＴＤＤ構成をサポートできるかどうかに関するインジケータを受信する（ステップ３０４）。例として、ＵＥ１０２は、ＵＥ１０２が各バンドの組み合わせに対して異なるバンド上の異なるＴＤＤ構成をサポートできるかどうかを含めて、そのｃａｐａｂｉｌｉｔｙをｅＮＢ１６０に通知する。
【００７３】
一構成において、ステップ３０４で受信されるインジケータは、ＵＥカテゴリインジケータを備える。例えば、特定のカテゴリにおけるＵＥは、ＵＥカテゴリインジケータによって示される異なるＴＤＤ構成をサポートすることが可能である。別の構成において、ステップ３０４で受信されるインジケータは、特定の仕様書リリースへの準拠を示す情報を備える。例えば、リリース１１のすべてのＵＥは、コンプライアンスもしくはリリース番号インジケータによって示される異なるＴＤＤ構成をサポートすることが可能である。
【００７４】
ｅＮＢ１６０は、ＵＥ１０２が各バンドの組み合わせに対して異なるバンド上での同時送受信をサポートできるかどうかに関するインジケータを受信する（ステップ３０６）。例えば、ＵＥ１０２は、ＵＥ１０２が各バンドの組み合わせに対して異なるバンド上での同時送受信をサポートできるかどうかを含めて、そのｃａｐａｂｉｌｉｔｙをｅＮＢ１６０に通知する。
【００７５】
一構成において、ステップ３０６で受信されるインジケータは、ＵＥカテゴリインジケータを備える。例えば、特定のカテゴリにおけるＵＥは、ＵＥカテゴリインジケータによって示される異なるバンド上での同時送受信をサポートすることが可能である。別の構成において、ステップ３０６で受信されるインジケータは、特定の仕様書リリースへの準拠を示す情報を備える。例えば、リリース１１のすべてのＵＥは、コンプライアンスもしくはリリース番号インジケータによって示される異なるバンド上での同時送受信をサポートすることが可能である。
【００７６】
ｅＮＢ１６０は、ＵＥ１０２が各バンドの組み合わせに対して異なる上りリンク・タイミング調整をサポートできるかどうかに関するインジケータを受信する（ステップ３０８）。例えば、ＵＥ１０２は、各バンドの組み合わせに対して異なる上りリンク・タイミング調整をサポートするｃａｐａｂｉｌｉｔｙをｅＮＢ１６０に通知する。ステップ３０４、３０６、３０８で受信されたＵＥ１０２  ｃａｐａｂｉｌｉｔｙを示す１つ以上のインジケータ（単数または複数）は、以下の図５に関連して示される記述に従ってフォーマットされる。１つ以上のインジケータは、１つ以上のメッセージで受信されてもよく、および／または、明示的または暗黙的に示されてもよい。
【００７７】
一構成において、ステップ３０８で受信されるインジケータは、１つ以上のＵＥカテゴリを備える。例えば、特定のカテゴリにおけるＵＥは、１つ以上のＵＥカテゴリによって示される各バンドの組み合わせに対して異なる上りリンク・タイミング調整をサポートすることが可能である。別の構成において、ステップ３０８で受信されるインジケータは、特定の仕様書リリースへの準拠を示す情報を備える。例えば、リリース１１のすべてのＵＥは、コンプライアンスもしくはリリース番号インジケータによって示される、各バンドの組み合わせに対して異なる上りリンク・タイミング調整をサポートすることが可能である。
【００７８】
ｅＮＢ１６０は、ＵＥ１０２が同時送受信を実行する必要があるかどうかを示す無線リソース管理（ＲＲＣ）シグナリングを送信する（ステップ３１０）。例えば、ｅＮＢ１６０は、ＵＥ１０２が全二重または半二重に従って通信する必要があるかどうかを示すＲＲＣＣｏｎｎｅｃｔｉｏｎＲｅｃｏｎｆｉｇｕｒａｔｉｏｎメッセージを送信する。いくつかの場合、ｅＮＢ１６０は、複数のＵＥ１０２  ｃａｐａｂｉｌｉｔｙに基づいてＲＲＣシグナリングを送信する（ステップ３１０）。
【００７９】
いくつかの構成において、ｅＮＢ１６０は、ＵＥ１０２から、ＵＥ１０２が（例えば、全二重または半二重通信に対して）再構成されたことを示すシグナリングも受信する。例として、ｅＮＢ１６０は、ＲＲＣＣｏｎｎｅｃｔｉｏｎＲｅｃｏｎｆｉｇｕｒａｔｉｏｎＣｏｍｐｌｅｔｅメッセージを受信する。
【００８０】
ｅＮＢ１６０は、ＵＥ１０２が（例として、ＲＲＣシグナリングに従って）同時送受信を実行する必要があるかどうかに基づいて、ＵＥ１０２と通信する（ステップ３１２）。例えば、ｅＮＢ１６０は、全二重または半二重通信に基づいて下りリンクおよび／または上りリンク通信をスケジューリングする。いくつかの構成においては、これらの通信３１０はさらに、ＵＥ１０２が、各バンドの組み合わせに対して異なるバンド上の異なるＴＤＤ構成をサポートできるか、異なるバンド上での同時送受信をサポートできるか、および異なる上りリンク・タイミング調整をサポートできるかどうかに基づく。加えて、または代わりに、ｅＮＢ１６０は、ＵＥ  ｃａｐａｂｉｌｉｔｙ情報に基づいて、ＵＥ１０２へ情報を送信する、および／または、ＵＥ１０２から情報を受信する。
【００８１】
図４は、複数のセルに関するサブフレーム４２７ａ〜ｊ、４２９ａ〜ｊのセットを示す図である。より具体的には、図４は、異なるバンド内にあり、キャリアアグリゲーションによって操作される、２つのセル４２３ａ〜ｂ間の異なるＴＤＤ構成４２５ａ〜ｂを示す。図４において、「Ｄ」は下りリンク・サブフレームを示し、「Ｕ」は上りリンク・サブフレームを示す。
【００８２】
異なる周波数バンドは、典型的に、同じデバイスにおける異なる無線周波数（ＲＦ）チェイン（chains）によってカバーされる。従って、ｅＮＢ１６０および端末装置（ＵＥ）１０２は、異なるバンド上で独立にＲＦ動作を行うことができる。しかしながら、異なるバンド上の異なるＴＤＤ構成の問題は、異なるバンド上での同時送受信が、いくつかのサブフレーム４２７ａ〜ｊ、４２９〜ｊでサポートされる必要があることである。
【００８３】
例えば、図４は、セルＡ  ４２３ａ（例えば、セル＃０またはプライマリセル（ＰＣｅｌｌ））のための構成Ａ  ４２５ａ（例えば、”Ｃｏｎｆｉｇ．１”）による一群のサブフレーム４２７ａ〜ｊを示す。そのうえ、セルＢ  ４２３ｂ（例えば、セル＃１またはセカンダリセル（ＳＣｅｌｌ））のための構成Ｂ  ４２５ｂ（例えば、”Ｃｏｎｆｉｇ．２”）による別の群のサブフレーム４２９ａ〜ｊも示される。図４に示されるように、同時送受信４３１ａ〜ｂが発生するのは、１つのセル（例えば、セルＢ  ４２３ｂ）で上りリンク・サブフレーム（例えば、サブフレーム４２９ｅ、４２９ｊ）が発生するのと同時に、別のセル（例えば、セルＡ  ４２３ａ）で下りリンク・サブフレーム（例えば、サブフレーム４２７ｅ、４２７ｊ）が発生するときである。異なる構成４２５ａ〜ｂにおいて同じサブフレームで（例えば、同時に）異なるタイプのサブフレーム（例えば、“Ｄ”および“Ｕ”）が発生するサブフレーム（例えば、サブフレーム４２７ｅと４２９ｅ、およびサブフレーム４２７ｊと４２９ｊ）は、“衝突（collision）”サブフレームと呼ばれる。
【００８４】
異なるバンド上での同時送受信は、ｅＮＢ１６０に重大な問題を提起することはない。しかしながら、ＵＥ１０２では、送信信号を所望の受信信号から分離するためのさらなるコストおよびＲＦ装置の複雑さが無視できない。例えば、周波数分離が十分大きくないいくつかの場合には、ＵＥ１０２におけるＲＦチェイン間にデュプレクサ、サーキュレータまたはアイソレータを挿入する必要がありうる。ＵＥ製造業者は、この機能をＵＥがサポートするか否かについて、実装オプションを有することを望むであろう。
【００８５】
いくつかの構成において、ｅＮＢ１６０は、ＵＥ通信（例えば、振舞い）を半二重と全二重との間で切り替える。半二重が用いられた場合、ＵＥ１０２は、省電力という利益が得られる。
【００８６】
キャリアアグリゲーションにおいて、ＵＥ１０２が１つ以上のセルの各組で上りリンク・タイミング調整を実行できるとき、ＵＥ１０２は、１つより多い送信機を持たなければならない。キャリアは、これらの構成で同時に動作するようにすべてのＵＥに要求するのを望むことも、望まないこともある。そのうえ、ＵＥ製造業者は、この機能をＵＥがサポートするか否かについて、実装オプションを有することを望むであろう。
【００８７】
図５は、端末装置（ＵＥ）５０２  ｃａｐａｂｉｌｉｔｙシグナリングの一構成を示すブロック図である。リリース１０において、ＵＥ５０２は、ｅＮＢ１６０にＵＥ  ｃａｐａｂｉｌｉｔｙ情報５３７を提供する。この手順の目的は、ＵＥ５０２からＥ−ＵＴＲＡＮ（進化型ユニバーサル地上無線アクセス・ネットワーク）へ（例えば、ｅＮＢ経由１６０で）ＵＥ５０２  ｒａｄｉｏ  ａｃｃｅｓｓ  ｃａｐａｂｉｌｉｔｙ情報を伝送することである。
【００８８】
ＵＥ５０２がそのＥ−ＵＴＲＡＮ  ｒａｄｉｏ  ａｃｃｅｓｓ  ｃａｐａｂｉｌｉｔｙ（複数）を変更した場合、ＵＥ５０２は（例えば、無線リソース管理（ＲＲＣ）シグナリングによって）、複数のＵＥ５０２  ｒａｄｉｏ  ａｃｃｅｓｓ  ｃａｐａｂｉｌｉｔｙのアップデートをもたらす必要なＮＡＳ（ｎｏｎ−ａｃｃｅｓｓ  ｓｔｒａｔｕｍ：非アクセス層）手順（ＴＳ２３．４０１参照）を開始するように高次レイヤにリクエストするために、新しい無線リソース管理（ＲＲＣ）接続を用いて、信号を送信する。留意すべきは、ＲＲＣ＿ＩＤＬＥモードでのＵＥ５０２のＧＥＲＡＮ（ＧＳＭ  Ｒａｄｉｏ  Ａｃｃｅｓｓ  Ｎｅｔｗｏｒｋ：ＧＳＭ無線アクセス・ネットワーク）ｒａｄｉｏ  ｃａｐａｂｉｌｉｔｙ（複数）の変更が、Ｔｒａｃｋｉｎｇ  Ａｒｅａ  Ｕｐｄａｔｅの使用によってサポートされることである。Ｅ−ＵＴＲＡＮ５３３が（追加の）ＵＥ５０２  ｒａｄｉｏ  ａｃｃｅｓｓ  ｃａｐａｂｉｌｉｔｙ情報を必要とするとき、Ｅ−ＵＴＲＡＮ５３３は、ＲＲＣ＿ＣＯＮＮＥＣＴＥＤ状態でＵＥ５０２への手順を開始する。
【００８９】
ＵＥ５０２は、ＵＥＣａｐａｂｉｌｉｔｙＩｎｆｏｒｍａｔｉｏｎメッセージ５３７の内容を次のようにセットする。ｕｅ−ＣａｐａｂｉｌｉｔｙＲｅｑｕｅｓｔ（または、例えばＵＥＣａｐａｂｉｌｉｔｙＥｎｑｕｉｒｙ５３５）がｅｕｔｒａを含む場合には、ＵＥ５０２は、ｕｅ−ＣａｐａｂｉｌｉｔｙＲＡＴ−Ｃｏｎｔａｉｎｅｒ内にＵＥ−ＥＵＴＲＡ−Ｃａｐａｂｉｌｉｔｙを含むことができ、ｒａｔ−Ｔｙｐｅがｅｕｔｒａにセットされる。ＵＥ５０２（例えば、ＲＲＣ）は、送信のための低次レイヤにＵＥＣａｐａｂｉｌｉｔｙＩｎｆｏｒｍａｔｉｏｎメッセージを提示し、そこで手順が終了する。なお、高次または低次レイヤはＲＲＣ仕様に基づく。
【００９０】
ＵＬ−ＤＣＣＨ−Ｍｅｓｓａｇｅクラスは、ＵＥ５０２からＥ−ＵＴＲＡＮ５３３へ上りリンクＤＣＣＨ論理チャネル上で送信されるＲＲＣメッセージの組である。ＵＬ−ＤＣＣＨ−Ｍｅｓｓａｇｅは、リスト（１）に示されるように次のタイプを有する。
リスト１
【００９１】
【数１】
2014529203.tif 000003
【００９２】
ＵＥＣａｐａｂｉｌｉｔｙＩｎｆｏｒｍａｔｉｏｎ５３７は、ＵＬ−ＤＣＣＨ−Ｍｅｓｓａｇｅの一種である。ＵＥＣａｐａｂｉｌｉｔｙＩｎｆｏｒｍａｔｉｏｎメッセージ５３７は、Ｅ−ＵＴＲＡＮ５３３によってリクエストされる複数のＵＥ５０２  ｒａｄｉｏ  ａｃｃｅｓｓ  ｃａｐａｂｉｌｉｔｙに関する情報を伝送するために使用される。ＵＥ−ＥＵＴＲＡ−Ｃａｐａｂｉｌｉｔｙは、リスト（２）に示されるようにＵＥ５０２のＥＵＴＲＡに関連するＣａｐａｂｉｌｉｔｙである。
リスト２
【００９３】
【数２−１】
2014529203.tif 000004
【００９４】
【数２−２】
2014529203.tif 000005
【００９５】
リリース１０のＵＥは、ＵＥ−ＥＵＴＲＡ−Ｃａｐａｂｉｌｉｔｙにｒｆ−Ｐａｒａｍｅｔｅｒｓおよびｒｆ−Ｐａｒａｍｅｔｅｒｓ−ｖ１０２０を含むことができる。ＲＦ−ＰａｒａｍｅｔｅｒｓおよびＲＦ−Ｐａｒａｍｅｔｅｒｓ−ｖ１０２０は、リスト（３）および表（１）に示される情報を含む。
リスト３
【００９６】
【数３−１】
2014529203.tif 000006
【００９７】
【数３−２】
2014529203.tif 000007
【００９８】
【表１】
2014529203.tif 000008
【００９９】
各ＢａｎｄＣｏｍｂｉｎａｔｉｏｎＰａｒａｍｅｔｅｒｓにおける１つのバンドに関するおよびすべてのバンドにわたるＣＡ−ＭＩＭＯ−ＰａｒａｍｅｔｅｒｓＵＬおよびＣＡ−ＭＩＭＯ−ＰａｒａｍｅｔｅｒｓＤＬのすべての組み合わせが、ＵＥ５０２によってサポートされ、同じ測定ギャップ必要条件を有する（例えば、同じＢａｎｄＩｎｆｏＥＵＴＲＡが適用される）。同じバンドの組み合わせに関するＢａｎｄＣｏｍｂｉｎａｔｉｏｎＰａｒａｍｅｔｅｒｓが一度より多く含まれてもよい。
【０１００】
リリース１１において、ＵＥ−ＥＵＴＲＡ−Ｃａｐａｂｉｌｉｔｙ−ｖ１１ｘｘ−ＩＥｓおよびＲＦ−Ｐａｒａｍｅｔｅｒｓ−ｖ１１ｘｘが導入される。一例がリスト（４）に示される。特に、“ｎｏｎＣｒｉｔｉｃａｌＥｘｔｅｎｓｉｏｎ”  “ＵＥ−ＥＵＴＲＡ−Ｃａｐａｂｉｌｉｔｙ−ｖ１１ｘｘ−ＩＥｓ”が導入される。そのうえ、“ＵＥ−ＥＵＴＲＡ−Ｃａｐａｂｉｌｉｔｙ−ｖ１１ｘｘ−ＩＥｓ”は、“ｒｆ−Ｐａｒａｍｅｔｅｒｓ−ｖ１１ｘｘ”を含む。
リスト４
【０１０１】
【数４】
2014529203.tif 000009
【０１０２】
ｂａｎｄＴＤＤＣｏｎｆｉｇおよびｂａｎｄＴＡを含むＢａｎｄＰａｒａｍｅｔｅｒｓ−ｒ１１の一例がリスト（５）および表（２）に示される。この例において、ｅＮＢ１６０は、ＵＥ１０２がＵＥ５０２が異なるＴＤＤ構成をサポートする異なるバンド間の同時送受信をサポートするかどうかに関する情報を有すると仮定される。例えば、その場合、この機能をＵＥ５０２カテゴリに結び付けること、あるいはこの機能をリリース１１のすべてのＵＥによってサポートすることが可能である。しかしながら、ｂａｎｄＴＤＤＣｏｎｆｉｇおよびｂａｎｄＴＡは、ＵＥ５０２によってｅＮＢへ通知される。
リスト５
【０１０３】
【数５】
2014529203.tif 000010
【０１０４】
【表２】
2014529203.tif 000011
【０１０５】
ｂａｎｄＴＤＤＣｏｎｆｉｇ、ｂａｎｄＴＤＤＤｕｐｌｅｘおよびｂａｎｄＴＡを含むＢａｎｄＰａｒａｍｅｔｅｒｓ−ｒ１１の別の例が、リスト（６）および表（３）に示される。
リスト６
【０１０６】
【数６】
2014529203.tif 000012
【０１０７】
【表３】
2014529203.tif 000013
【０１０８】
ｂａｎｄＴＤＤＤｕｐｌｅｘおよびｂａｎｄＴＡを含むＢａｎｄＰａｒａｍｅｔｅｒｓ−ｒ１１のさらに別の例が、リスト（７）および表（４）に示される。この場合、ｅＮＢは、ＵＥ５０２が異なるバンド間のＴＤＤ構成をサポートするかどうかを知っていると仮定される。例えば、この場合、この機能をＵＥ５０２カテゴリに結び付けること、あるいはこの機能をリリース１１のすべてのＵＥによってサポートすることが可能である。しかしながら、ｂａｎｄＴＤＤＤｕｐｌｅｘおよびｂａｎｄＴＡは、ＵＥ５０２によってｅＮＢに通知される。
リスト７
【０１０９】
【数７】
2014529203.tif 000014
【０１１０】
【表４】
2014529203.tif 000015
【０１１１】
ｂａｎｄＴＤＤＤｕｐｌｅｘを含むＢａｎｄＰａｒａｍｅｔｅｒｓ−ｒ１１のさらに別の例が、リスト（８）および表（５）に示される。この場合、ｅＮＢは、ＵＥが異なるバンド間の異なるＴＤＤ構成および異なるＴｉｍｅ  Ａｌｉｇｎｍｅｎｔをサポートするかどうかを知っていると仮定される。例えば、この場合、この機能をＵＥ５０２カテゴリに結び付けること、あるいはこの機能をリリース１１のすべてのＵＥによってサポートすることが可能である。しかしながら、ｂａｎｄＴＤＤＤｕｐｌｅｘ は、ＵＥ５０２によってｅＮＢに通知される。
リスト８
【０１１２】
【数８】
2014529203.tif 000016
【０１１３】
【表５】
2014529203.tif 000017
【０１１４】
本明細書に開示されるシステムおよび方法の１つの利点は、製造業者が、ＲＦ  ｃａｐａｂｉｌｉｔｙおよびスループットに関して種々のコストおよび性能の様々なタイプのＵＥを作りうることであり、本システムは、かかる様々なタイプのＵＥを受け入れることができる。
【０１１５】
図６は、ＲＲＣシグナリングの一構成を示すブロック図である。上記のように、ｅＮＢ１６０は、ＵＥ１０２によってＵＥ１０２  ｃａｐａｂｉｌｉｔｙを通知され、異なるバンドにある２つのセル間でＴＤＤ構成が異なる場合、ｅＮＢ１６０は、ＵＥ１０２  ｃａｐａｂｉｌｉｔｙに従ってＵＥ１０２をスケジューリングする。しかしながら、異なるバンドにある２つのセル間でＴＤＤ構成が異なる場合、いくつかの実装において、ｅＮＢ１６０は、たとえＵＥ１０２が同時送受信をサポートするｃａｐａｂｉｌｉｔｙを有しても、ＵＥ１０２が半二重通信のために構成されるようにさらに要求することもできる。
【０１１６】
例えば、ＵＥ６０２は、Ｅ−ＵＴＲＡＮ６３３（例えば、ｅＮＢ１６０）によって、ＵＥ６０２が同時送受信を行う必要があるか否かを示すＲＲＣシグナリングを用いて構成される。例として、Ｅ−ＵＴＲＡＮ６３３（例えば、ｅＮＢ１６０）は、ＵＥ６０２へＲＲＣＣｏｎｎｅｃｔｉｏｎＲｅｃｏｎｆｉｇｕｒａｔｉｏｎ６６７シグナリングを送信する。いくつかの実装において、ＵＥ６０２が通信のための複信タイプを首尾よくセット（例えば、再構成）したとき、ＵＥ６０２は、ＲＲＣＣｏｎｎｅｃｔｉｏｎＲｅｃｏｎｆｉｇｕｒａｔｉｏｎＣｏｍｐｌｅｔｅ６６９シグナリングによって応答する。
【０１１７】
ＵＥ６０２が同時送受信を実行しない構成である場合、ＵＥ６０２は、上りリンクおよび下りリンクがセル間で衝突している衝突サブフレームでは、すべてのセルについて１つのサブフレーム構成に従う。代わりに、ＵＥ６０２は、衝突サブフレームでは１つのサブフレーム構成を選択し、他のサブフレーム構成を持つ他のセルをミュートする。その後、上りリンクおよび下りリンク通信が衝突しているサブフレームにおいて、ＵＥ６０２は、このサブフレームを上りリンク・サブフレーム、下りリンク・サブフレームあるいはスペシャル・サブフレームとして用いることができる。
【０１１８】
ＵＥ６０２が同時送受信を行う必要があるか否かは、ＵＥ６０２に特有なことも、バンドの組み合わせに特有なことも、あるいはセルの組み合わせに特有なこともある。それがＵＥ６０２に特有であれば、現在のキャリアアグリゲーション構成に対して１ビットを有すれば十分である。それがバンドの組み合わせまたはセルの組み合わせに特有であれば、バンドの組み合わせまたはセルの組み合わせ毎に１ビットを有する必要がありうる。
【０１１９】
ＵＥ６０２の構成は、ＲＲＣ接続を修正するために用いられるＲＲＣ接続再構成手順を用いて達成される。例えば、ＲＲＣ接続再構成手順は、リソースブロック（ＲＢ：ｒｅｓｏｕｒｃｅ  ｂｌｏｃｋ）を設定、修正、またはリリースし、ハンドオーバーを実行し、測定をセットアップ、修正、またはリリースし、および／またはＳＣｅｌｌ１２１を追加、修正、あるいはリリースする。留意すべきは、システム（例えば、Ｅ−ＵＴＲＡＮ６３３）がＲＦ動作の変更をＵＥ６０２に要求できるようにするのが有益なことである。例えば、ＵＥ６０２は、半二重通信を用いることによって電力消費を低減できる。
【０１２０】
図７は、端末装置（ＵＥ）７０２において利用される様々なコンポーネントを示す。ＵＥ７０２は、上記のＵＥ１０２、５０２の１つ以上として利用されてもよい。ＵＥ７０２は、ＵＥ７０２の動作を制御するプロセッサ７３９を含む。プロセッサ７３９は、中央処理装置（ＣＰＵ）とも呼ばれる。メモリ７４５は、リードオンリーメモリ（ＲＯＭ）、ランダムアクセスメモリ（ＲＡＭ）、これら２つの組み合わせ、あるいは情報を格納する任意のタイプのデバイスを含み、プロセッサ７３９に命令７４１ａおよびデータ７４３ａを与える。メモリ７４５の一部分は、不揮発性ランダムアクセスメモリ（ＮＶＲＡＭ）を含んでもよい。命令７４１ｂおよびデータ７４３ｂは、プロセッサ７３９にも存在する。プロセッサ７３９に読み込まれた命令７４１ｂおよび／またはデータ７４３ｂは、プロセッサ７３９による実行または処理のために読み込まれた、メモリ７４５からの命令７４１ａおよび／またはデータ７４３ａを含んでもよい。命令７４１ｂは、本明細書に開示される方法の１つ以上を実装するためにプロセッサ７３９によって実行される。
【０１２１】
ＵＥ７０２は、データの送受信を可能にするために１つ以上の送信機７５８および１つ以上の受信機７２０が入った筺体も含む。送信機（単数または複数）７５８および受信機（単数または複数）７２０は、１つ以上のトランシーバ７１８に組み合わされてもよい。１つ以上のアンテナ７２２ａ〜ｎは、筺体に取り付けられて、トランシーバ７１８に電気的に結合される。
【０１２２】
ＵＥ７０２の様々なコンポーネントは、データバスに加えて、電力バス、制御信号バスおよびステータス信号バスを含む、バスシステム７５１によって一緒で結合される。しかしながら、明確さのために、図７では様々なバスがバスシステム７５１として示される。ＵＥ７０２は、信号処理用デジタル信号プロセッサ（ＤＳＰ）７４７も含む。ＵＥ７０２は、ＵＥ７０２の機能へのユーザ・アクセスを提供する通信インタフェース７４９も含む。図７に示されるＵＥ７０２は、具体的なコンポーネントのリストではなく、機能ブロック図である。
【０１２３】
図８は、基地局装置（ｅＮＢ）８６０において利用される様々なコンポーネントを示す。ｅＮＢ８６０は、前述のｅＮＢの１つ以上（例えば、ｅＮＢ１６０）として利用されてもよい。ｅＮＢ８６０は、ＵＥ６０２に関連して上述されたコンポーネントと同様のコンポーネントを含み、プロセッサ８５３、プロセッサ８５３に命令８５５ａおよびデータ８５７ａを与えるメモリ８５９、プロセッサ８５３中に存在しても、あるいは読み込まれてもよい命令８５５ｂおよびデータ８５７ｂ、（１つの以上のトランシーバ８７６に組み合わされてもよい）１つ以上の送信機８１７および１つ以上の受信機８７８が入った筺体、トランシーバ（単数または複数）８７６に電気的に結合された１つ以上のアンテナ８８０ａ〜ｎ、バスシステム８６５、信号処理用ＤＳＰ８６１、通信インタフェース８６３などを含む。
【０１２４】
用語“コンピュータ可読媒体”は、コンピュータまたはプロセッサによってアクセスできる任意の利用可能な媒体を指す。用語“コンピュータ可読媒体”は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または格納するために用いることができ、コンピュータまたはプロセッサによってアクセスできる任意の他の媒体を備える。ディスク（disk）およびディスク（disc）は、本明細書では、コンパクトディスク（ＣＤ：compact disc）、レーザディスク（laser disc）、光ディスク（optical disc）、デジタルバーサタイルディスク（ＤＶＤ：digital versatile disc）、フロッピーディスク（floppy disk）およびＢｌｕ−ｒａｙ（登録商標）ディスク（disc）を含み、ディスク（disk）は、通常、磁気的にデータを再生し、一方でディスク（disc）は、レーザを用いて光学的にデータを再生する。
【０１２５】
なお、本明細書に記述される方法の１つ以上が、ハードウェアで実装されてもよい、および／またはハードウェアを用いて実行されてもよい。例えば、本明細書に記述される方法の１つ以上は、チップセット、特定用途向け集積回路（ＡＳＩＣ：application-specific integrated circuit）、大規模集積回路（ＬＳＩ：large-scale integrated circuit）または集積回路などで実装されてもよく、および／またはそれらを用いて実現されてもよい。
【０１２６】
本明細書に開示される方法のそれぞれは、記述される方法を実現するための１つ以上のステップまたは動作を備える。本方法のステップおよび／または動作は、特許請求の範囲から逸脱することなく、相互に交換されても、および／または単一ステップに組み合わされてもよい。言い換えれば、記述される方法の適切な操作のために、ステップまたは動作の特定の順序が必要とされない限り、特定のステップおよび／または動作の順序および／または使用は、特許請求の範囲から逸脱することなく、修正されてもよい。
【０１２７】
理解すべきは、特許請求の範囲が、上記に示された通りの構成およびコンポーネントには限定されないことである。特許請求の範囲から逸脱することなく、本明細書に記述される配置、操作、ならびにシステム、方法、および装置の詳細に、様々な修正、変更および変形がなされてもよい。
【０１２８】
本発明に従って、ＵＥ  ｃａｐａｂｉｌｉｔｙのシグナリングを行うように構成された端末装置（ＵＥ）が提供され、ＵＥは、プロセッサと、プロセッサと電子通信を行うメモリと、メモリに格納された命令とを備え、命令は、ＵＥがバンドの組み合わせに対して異なるバンド上の異なる時分割多重（ＴＤＤ）構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとを送信するために実行可能である。
【０１２９】
本発明に従って、命令は、無線リソース管理（ＲＲＣ）シグナリングを受信して、同時送受信を実行すべきかどうかを判定するためにさらに実行可能なＵＥが提供される。
【０１３０】
本発明に従って、命令は、同時送受信を実行しないと判定された場合、衝突サブフレームではすべてのセルについてある１つのサブフレーム構成に従うためにさらに実行可能なＵＥが提供される。
【０１３１】
本発明に従って、命令は、同時送受信を実行しないと判定された場合、１つのサブフレーム構成を選択し、他のサブフレーム構成を持つ他のセルをミュートするためにさらに実行可能なＵＥが提供される。
【０１３２】
本発明に従って、命令は、同時送受信を実行すると判定された場合、異なるバンド上で同時に情報を送信し、情報を受信するためにさらに実行可能なＵＥが提供される。
【０１３３】
本発明に従って、ＵＥ−ＥＵＴＲＡ−Ｃａｐａｂｉｌｉｔｙ−ｖ１１ｘｘ−ＩＥｓ情報は、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備えるＵＥが提供される。
【０１３４】
本発明に従って、カテゴリインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備えるＵＥが提供される。
【０１３５】
本発明に従って、コンプライアンスインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備えるＵＥが提供される。
【０１３６】
本発明に従って、端末装置（ＵＥ）ｃａｐａｂｉｌｉｔｙに関するシグナリングを受信するように構成された基地局装置（ｅＮＢ）が提供され、ｅＮＢは、プロセッサと、プロセッサと電子通信を行うメモリと、メモリに格納された命令とを備え、命令は、ＵＥがバンドの組み合わせに対して異なるバンド上の異なる時分割多重（ＴＤＤ）構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとを受信するために実行可能である。
【０１３７】
本発明に従って、命令は、ＵＥが同時送受信を実行する必要があるかどうかを示す無線リソース管理（ＲＲＣ）シグナリングを送信するためにさらに実行可能なｅＮＢが提供される。
【０１３８】
本発明に従って、ＵＥ−ＥＵＴＲＡ−Ｃａｐａｂｉｌｉｔｙ−ｖ１１ｘｘ−ＩＥｓ情報は、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備えるｅＮＢが提供される。
【０１３９】
本発明に従って、カテゴリインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備えるｅＮＢが提供される。
【０１４０】
本発明に従って、コンプライアンスインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータからなるグループの少なくとも１つを備えるｅＮＢが提供される。
【０１４１】
本発明に従って、端末装置（ＵＥ）ｃａｐａｂｉｌｉｔｙのシグナリングをＵＥから行うための方法が提供され、該方法は、ＵＥがバンドの組み合わせに対して異なるバンド上の異なる時分割多重（ＴＤＤ）構成をサポートできるかどうかに関するインジケータを送信するステップと、ＵＥがバンドの組み合わせに対して異なるバンド上での同時送受信をサポートできるかどうかに関するインジケータを送信するステップと、ＵＥがバンドの組み合わせに対して異なる上りリンク・タイミング調整をサポートできるかどうかに関するインジケータを送信するステップとを備える。
【０１４２】
本発明に従って、無線リソース管理（ＲＲＣ）シグナリングを受信して、同時送受信を実行すべきかどうかを判定するステップをさらに備える方法が提供される。
【０１４３】
本発明に従って、同時送受信を実行しないと判定された場合、衝突サブフレームではすべてのセルについてある１つのサブフレーム構成に従うステップをさらに備える方法が提供される。
【０１４４】
本発明に従って、同時送受信を実行しないと判定された場合、１つのサブフレーム構成を選択し、他のサブフレーム構成を持つ他のセルをミュートするステップをさらに備える方法が提供される。
【０１４５】
本発明に従って、同時送受信を実行すると判定された場合、異なるバンド上で同時に情報を送信し、情報を受信するステップをさらに備える方法が提供される。
【０１４６】
本発明に従って、ＵＥ−ＥＵＴＲＡ−Ｃａｐａｂｉｌｉｔｙ−ｖ１１ｘｘ−ＩＥｓ情報は、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備える方法が提供される。
【０１４７】
本発明に従って、カテゴリインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備える方法が提供される。
【０１４８】
本発明に従って、コンプライアンスインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備える方法が提供される。
【０１４９】
本発明に従って、端末装置（ＵＥ）ｃａｐａｂｉｌｉｔｙに関するシグナリングを基地局装置（ｅＮＢ）によって受信するための方法が提供され、該方法は、ＵＥがバンドの組み合わせに対して異なるバンド上の異なる時分割多重（ＴＤＤ）構成をサポートできるかどうかに関するインジケータを受信するステップと、ＵＥがバンドの組み合わせに対して異なるバンド上での同時送受信をサポートできるかどうかに関するインジケータを受信するステップと、ＵＥがバンドの組み合わせに対して異なる上りリンク・タイミング調整をサポートできるかどうかに関するインジケータを受信するステップとを備える。
【０１５０】
本発明に従って、ＵＥが同時送受信を実行する必要があるかどうかを示す無線リソース管理（ＲＲＣ）シグナリングを送信するステップをさらに備える方法が提供される。
【０１５１】
本発明に従って、ＵＥ−ＥＵＴＲＡ−Ｃａｐａｂｉｌｉｔｙ−ｖ１１ｘｘ−ＩＥｓ情報は、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備える方法が提供される。
【０１５２】
本発明に従って、カテゴリインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備える方法が提供される。
【０１５３】
本発明に従って、コンプライアンスインジケータは、ＵＥがバンドの組み合わせに対して異なるバンド上の異なるＴＤＤ構成をサポートできるかどうかに関するインジケータと、ＵＥがバンドの組み合わせに対して異なるバンド上での同時送受信をサポートできるかどうかに関するインジケータと、ＵＥがバンドの組み合わせに対して異なる上りリンク・タイミング調整をサポートできるかどうかに関するインジケータとからなるグループの少なくとも１つを備える方法が提供される。
【図１】
2014529203.tif 000018
【図２】
2014529203.tif 000019
【図３】
2014529203.tif 000020
【図４】
2014529203.tif 000021
【図５】
2014529203.tif 000022
【図６】
2014529203.tif 000023
【図７】
2014529203.tif 000024
【図８】
2014529203.tif 000025
【国際調査報告】
2014529203.tif 000026
2014529203.tif 000027